(57)【要約】      （修正有）【課題】安価で運搬性に優れながらも、衛生的にペットの排泄物を処理することができるペット用排泄物処理器を提供する。【解決手段】軽量な素材で形成され上面に開口部を有し排泄物の水分を吸収する排泄物処理材３を収容する使い捨て容器部と、使い捨て容器部の上面を覆う蓋体と、液不透過性の素材で形成され上面に開口部を有し使い捨て容器部を内包するように収容する外部トレイ部２とを備える。使い捨て容器部と蓋体とを連結する伸縮自在のシート状の内壁部４４と、外部トレイ部２の周縁部から上方に向けて立設される外枠部２１とを設けて、蓋体には、使い捨て容器部から離脱されて外枠部２１の上端部に係合されて、内壁部４４が伸長された状態を維持可能としてもよい。【選択図】図４
0003208974.tif 000002
【実用新案登録請求の範囲】
【請求項１】
軽量な素材で形成され、上面に開口部を有し、排泄物の水分を吸収する排泄物処理材を収容する使い捨て容器部と、
前記使い捨て容器部の上面を覆う蓋体と、
液不透過性の素材で形成され、上面に開口部を有し、前記使い捨て容器部を内包するように収容する外部トレイ部と
を備えるペット用排泄物処理器。
【請求項２】
前記使い捨て容器部と前記蓋体とを連結する伸縮自在のシート状の内壁部と、
前記外部トレイ部の周縁部から上方に向けて立設される外枠部と
をさらに備え、
前記蓋体は、前記使い捨て容器部から離脱されて前記外枠部の上端部に係合されて、前記内壁部が伸長された状態を維持可能となっている
ことを特徴とする請求項１に記載のペット用排泄物処理器。
【請求項３】
前記外枠部には、前記使い捨て容器部が収容された状態において内外と連通する出入口が形成され、
前記内壁部は、前記使い捨て容器部が収容された状態において前記出入口以外の前記外枠部に対応するように、配置されている
ことを特徴とする請求項１又は２に記載のペット用排泄物処理器。
【請求項４】
前記使い捨て容器部と前記蓋体とは、前記内壁部を縮小して収容した状態で合着可能となっていることを特徴とする請求項１又は２に記載のペット用排泄物処理器。
【請求項５】
前記使い捨て容器部と前記蓋体との前記合着は、少なくとも前記使い捨て容器部と前記蓋体との合着部分が一部材で形成されることによってなされ、前記合着部分を分割することによって、前記使い捨て容器部と前記蓋体とが切離されることを特徴とする請求項１乃至３のいずれかに記載のペット用排泄物処理器。
【請求項６】
内部に中空を有し、上面に前記中空に連通する収容体開口部を有するとともに側方に前記中空に連通する収容口を有する収容体と、
前記収容体開口部の内周縁を取り囲むように配置される内周縁フレーム部と
をさらに備え、
前記外部トレイ部は、上面の開口部が前記収容体開口部に合致するように、前記収容口から前記中空内に挿通される引出部であり、
前記引出部は、前記使い捨て容器部を内部に収容した状態で前記収容口から前記収容体内部に収容され、
前記引出部が前記収容体内部に収容された状態において、前記内周縁フレーム部は、前記収容体開口部の内周縁から、前記引出部内に収容された前記使い捨て容器部の周縁部にわたってこれらの上方を覆うように配置される
ことを特徴とする請求項１乃至４のいずれかに記載のペット用排泄物処理器。
【考案の詳細な説明】
【技術分野】
【０００１】
本考案は、室内で飼われる猫などのペットに使用する使い捨てペット用排泄物処理器に関する。
【背景技術】
【０００２】
従来、室内で飼われている猫や犬などのペット用トイレとして、プラスチック製の容器に鉱物系のゼオライトあるいは川の砂、あるいは尿などを吸収すると固まるベントナイト、粉砕パルプ等を固めて粒状に成形したセルロース粒など、いわゆる猫砂と呼ばれる粒状物からなるトイレ砂が敷き詰められたトイレが一般的に使用されてきた。ペットが前記トイレ砂の上で排泄を済ませると、使用者は糞尿で汚れた部分のトイレ砂を便などと一緒にスコップ等ですくって容器内から取り除き、取り除いた分新しいトイレ砂を補充するのが一般的である。
【０００３】
しかし、猫などは排泄後にトイレ砂を足でかき混ぜる習性があるため、尿や便で汚れるトイレ砂の量が多くなり、さらに汚れたトイレ砂が拡散されてしまい、汚れた部分のみを完全に除去することはできない。
【０００４】
また、トイレ砂として使用されるゼオライトや川の砂などは尿を吸収するものではなく、ベントナイトやセルロース粒は尿をある程度は吸収するが、完全に吸収することはできない。このため、尿はトイレ砂を通って容器の底面に溜まりやすく、悪臭の原因となってしまう。従って、使用者は頻繁に容器内のトイレ砂をすべて捨て、容器を洗浄して乾かした後、再び新しいトイレ砂を容器に敷き詰めてトイレを衛生的に保つ必要がある。この作業を怠ると、室内の悪臭の原因となるばかりでなく、ペットはトイレで排泄するのを嫌がるようになり、部屋の床等で排泄するようになってしまうため、使用者にとってはトイレの洗浄を欠かすことができず、非常に手間がかかるという問題があった。
【０００５】
このような問題に対処するため、容器と１回分のトイレ砂を使用した使い捨てトイレが考案されてきた（例えば、特許文献１）。使い捨てであれば、使用者は排泄のたびに容器ごと廃棄するだけでよく、手間がかからない上、手も汚れることがなく衛生的であるという利点がある。
【０００６】
しかしながら、排泄のたびに容器とトイレ砂一式を消費するため、費用が嵩むという問題があった。また、数日分をまとめて購入する場合は、容積、重量ともに大きくなり、運搬、保管に多大なる労力を要する。
【先行技術文献】
【特許文献】
【０００７】
【特許文献１】特開２００６−２８０３５８号公報
【考案の概要】
【考案が解決しようとする課題】
【０００８】
そこで、本考案は、上記のような問題を解決するものであり、衛生的にペットの排泄物を処理することができながら、安価で、運搬性に優れた使い捨てペット用トイレを提供することを目的とする。
【課題を解決するための手段】
【０００９】
上記課題を解決するために、本考案のペット用排泄物処理器は、軽量な素材で形成され、上面に開口部を有し、排泄物の水分を吸収する排泄物処理材を収容する使い捨て容器部と、前記使い捨て容器部の上面を覆う蓋体と、液不透過性の素材で形成され、上面に開口部を有し、前記使い捨て容器部を内包するように収容する外部トレイ部とを備える。
【００１０】
本考案によれば、使い捨て容器部の蓋体を取り外して内部の排泄物処理材を露出させた状態で外部トレイ部に収容することにより、ペット用のトイレとすることができる。使い捨て容器部は、軽量な素材で形成できることから紙や薄いプラスチックなどの安価な素材を用いることができ、製造コストを低減することができ、使い捨て用として販売しやすくできる。これにあたり、外部トレイ部が液不透過性の素材で形成されていることから、使い捨て容器部から水分がしみ出すような場合であっても外部トレイ部で受けることができ、使い捨て容器部として紙などの液透過性の安価な素材を用いたときであっても、周囲を汚すことがない。
【００１１】
上記考案では、前記使い捨て容器部と前記蓋体とを連結する伸縮自在のシート状の内壁部と、前記外部トレイ部の周縁部から上方に向けて立設される外枠部とをさらに設け、前記蓋体が、前記使い捨て容器部から離脱されて前記外枠部の上端部に係合されて、前記内壁部が伸長された状態を維持可能となっていることが好ましい。
【００１２】
なお、上記外枠部としては、板状の部材で壁を形成するような構成でもよく、蓋体を支持可能なフレーム上の部材で構成してもよい。
【００１３】
この場合には、使い捨て容器部を外部トレイ部に収容する際、蓋体を使い捨て容器部から離脱させて外枠部の上端部に係合させて内壁部を伸長させることにより、外枠部の内側を内壁部で覆うことができる。これにより、トイレ内の排泄物処理材や排泄物が周囲に飛び散るのを防ぐことができるとともに、猫などの壁を引っ掻く習性のある動物であっても、外枠部やトイレ周辺の壁や家具などを保護することができる。
【００１４】
上記考案では、前記外枠部に、前記使い捨て容器部が収容された状態において内外と連通する出入口を形成し、前記内壁部が、前記使い捨て容器部が収容された状態において前記出入口以外の前記外枠部に対応するように配置されていることが好ましい。
【００１５】
なお、上記出入口は、外枠部が外部トレイ部の周縁を覆うような壁状の形態であるときには、その一部を開けることにより形成してもよく、円形や四角形などの穴を形成してもよい。また、内壁部は、外部トレイ部の形状が例えば四角形であるときには、出入口以外の三面を覆うように配置してもよく、外部トレイ部の形状が円形であれば、出入口以外の外枠部内面を覆う水平断面円弧状となるように形成してもよい。
【００１６】
この場合には、外枠部に出入口を形成することにより、この出入口を通じてペットがトイレに出入りすることができる。この際、内壁部が出入口以外の外枠部に対応するように配置されていることから、内壁部がペットの出入りの障害となることがない。
【００１７】
上記考案では、前記使い捨て容器部と前記蓋体とが、前記内壁部を縮小して収容した状態で合着可能となっていることが好ましい。
【００１８】
この場合には、使い捨て容器部内に内壁部を縮小して排泄物処理材とともに収納して蓋体で閉止した形とすることができ、使い捨ての内壁部付き排泄物処理材としてパッケージされた商品形態とすることができる。
【００１９】
上記考案において、前記使い捨て容器部と前記蓋体との前記合着は、少なくとも前記使い捨て容器部と前記蓋体との合着部分が一部材で形成されることによってなされ、前記合着部分を分割することによって、前記使い捨て容器部と前記蓋体とが切離されることが好ましい。
【００２０】
この場合には、使い捨て容器部と蓋体とを一部材の合着部分で連結することができ、商品の製造コストを低減することができる。この際、合着部分は例えばミシン目などによって分割する形態とすることで、製造コストを抑えつつ、使用者が合着部分を分割する操作を簡単なものにすることができる。
【００２１】
上記考案では、内部に中空を有し、上面に前記中空に連通する収容体開口部を有するとともに側方に前記中空に連通する収容口を有する収容体と、前記収容体開口部の内周縁を取り囲むように配置される内周縁フレーム部とをさらに備え、前記外部トレイ部は、上面の開口部が前記収容体開口部に合致するように、前記収容口から前記中空内に挿通される引出部であり、前記引出部は、前記使い捨て容器部を内部に収容した状態で前記収容口から前記収容体内部に収容され、前記引出部が前記収容体内部に収容された状態において、前記内周縁フレーム部は、前記収容体開口部の内周縁から、前記引出部内に収容された前記使い捨て容器部の周縁部にわたってこれらの上方を覆うように配置されることが好ましい。
【００２２】
この場合には、使用者はペットのトイレとして、使い捨て容器部が収容された引出部を収容体内に収容することができ、外観を向上させることができる。また、内周縁フレーム部が、収容体開口部の内周縁から、引出部内に収容された使い捨て容器部の周縁部にわたってこれらの上方を覆うように配置されていることから、引出部の内壁面と使い捨て容器部との間にペットの足などが挟まってしまうなどの事故を未然に防止できる。
【考案の効果】
【００２３】
以上述べたように、本考案に係る使い捨てペット用トイレによれば、外部トレイ部が液不透過性の素材で形成されていることから、使い捨て容器部から水分がしみ出すような場合であっても外部トレイ部で受けることができ、使い捨て容器部として紙などの液透過性の安価な素材を用いたときであっても、周囲を汚すことがない。よって考案によれば、安価で運搬性に優れながらも、衛生的にペットの排泄物を処理することができるようになる。
【図面の簡単な説明】
【００２４】
【図１】第１実施形態に係る使い捨てペット用排泄物処理器の基本構成示す斜視図である。
【図２】第２実施形態に係るペット用排泄物処理器の使用状態を示す斜視図である。
【図３】第２実施形態に係る使い捨て容器部の開封時の状態を示す斜視図である。
【図４】第２実施形態に係る使い捨て容器部を外部トレイ部に収容した状態を示す斜視図である。
【図５】第３実施形態に係るペット用排泄物処理器の使用状態を示す斜視図である。
【図６】第３実施形態に係る使い捨て容器部の開封時の状態を示す斜視図である。
【図７】第３実施形態に係る使い捨て容器部を外部トレイ部に収容した状態を示す斜視図である。
【図８】第４実施形態に係るペット用排泄物処理器の使用状態を示す斜視図である。
【考案を実施するための形態】
【００２５】
［第１実施形態］
（ペット用排泄物処理器の全体構成）
以下に添付図面を参照して、本考案に係るペット用排泄物処理器の実施形態を詳細に説明する。図１は、第１実施形態に係る使い捨てペット用排泄物処理器の基本構成となる使い捨て容器部及び外部トレイ部を示す斜視図である。
【００２６】
図１に示すように、本実施形態に係るペット用排泄物処理器は、排泄物処理材３を敷き詰めた使い捨て容器部１、及び使い捨て容器部１を収容するための外部トレイ部２を備えている。
【００２７】
使い捨て容器部１は軽量な素材で形成されており、上面に開口部を有している。素材は、薄手の紙、プラスチック、ラミネート等であるが、使用後はそのまま可燃ゴミとして廃棄されるため、可燃性のある素材であることが好ましい。開口部は、内容物の飛散や劣化を防ぐために、蓋体１１によって覆われて、接着加工されている。
【００２８】
外部トレイ部２は、使い捨て容器部１を内包して収容するため、上面に開口部があり、内縁部が使い捨て容器部１の外縁部と密着するよう、若干長い径を有する同形状であり、液不透過性のある素材で形成されている。具体的には、プラスチック、アクリル、木材、金属、ガラス等で形成できる。ペットが乗ることによって転倒したりずれたりしないように、重量は多い方が好ましく、また、底面にゴム製のストッパーを備えていてもよい。
【００２９】
排泄物処理材３は、ペットの排泄物の水分を吸収するものであり、いわゆる「猫砂」等と呼ばれる粒状物であり、吸水性があるベントナイトや粉砕パルプ等を固めて粒状に成形したセルロース粒、又は脱臭力を備えたゼオライトなどを直径が数ミリ乃至数センチ程度の略球状に成型したもの、又は、排泄物の吸収力及び脱臭力に優れた素材であるシリカゲルを成型したもの等が考えられるが、これに限定されない。
【００３０】
（作用・効果）
このような本実施形態によれば、使い捨て容器部１の蓋体１１を取り外して内部の排泄物処理材３を露出させた状態で外部トレイ部２に収容して室内の適宜な場所へ設置することにより、ペット用のトイレとすることができる。使い捨て容器部１は軽量な素材で形成できることから、紙や薄いプラスチック等の安価な素材を用いることが可能となり、製造コストを低減することができるため、使い捨て用として販売しやすくできる。また、外部トレイ部２が液不透過性の素材で形成されていることから、使い捨て容器部１から排泄物の水分がしみ出すような場合であっても、外部トレイ部２で受けることができ、使い捨て容器部１を紙などの液透過性の安価な素材を用いたときであっても、周囲を汚すことがない。
【００３１】
［第２実施形態］
次いで、本考案の第２実施形態について説明する。図２は、第２実施形態に係るペット用排泄物処理器の使用状態を示す斜視図、図３は、第２実施形態に係る使い捨て容器部の開封時の状態を示す斜視図、図４は、第２実施形態に係る使い捨て容器部を外部トレイ部に収容した状態を示す斜視図である。なお、本実施形態において、上述した第１実施形態と同一の構成要素には同一の符号を付し、その機能等は特に言及しない限り同一であり、その説明は省略する。
【００３２】
図２に示すように、本実施形態におけるペット用排泄物処理器４は円形であり、蓋体４１と排泄物処理材３を敷き詰めた使い捨て容器部４２、それらを収容、固定するための円形の外部トレイ部２及びペット用排泄物処理器４を係合するための外枠部２１から構成される。
【００３３】
外枠部２１は、矩形の板状部材であり、外部トレイ部２の周縁部に沿って曲げられて上方に向けて立設される。素材としては、プラスチックやアクリル板、金属等である。長辺は外部トレイ部２の周縁部の円周に対して短くすることによって、外枠部２１の一部が開放され、ペットの出入口を形成することができる。短辺はペットの出入りを妨げないためにも、ペットの体高より長くする必要がある。
【００３４】
ペット用排泄物処理器４は、使い捨て容器部４２を底面とする円筒形に形成されており、蓋体４１から使い捨て容器部４２に至るまでが一部材で一体形成されている。蓋体４１と使い捨て容器部４２の境には合着部分４３としてミシン目等の切り込みが設けられ、この合着部分４３を分割することによって、蓋体４１と使い捨て容器部４２が上下に切離される。切離された蓋体４１と使い捨て容器部４２は、図３に示すように、伸縮自在のシート状の内壁部４４によって連結されている。
【００３５】
また、蓋体４１と使い捨て容器部４２が一部材で一体形成されていなくてもよく、その場合は、内壁部４４を縮小して内側に収容した状態で、蓋体４１と使い捨て容器部４２を合着部分４３で合着すればよい。
【００３６】
内壁部４４は、蓋体４１や使い捨て容器部４２と同じく、軽量な素材で形成され、使用後は可燃物として廃棄できるものが好ましい。また、周縁部の長さは使い捨て容器部４２の円周に対して短くすることによって、内壁部４４の一部分が開放され、ペット用の出入口を形成する。使い捨て容器部４２を外部トレイ部２に収容した状態においては、外枠部２１に形成された出入口と内壁部４４に形成された出入口が対応して配置されることによって、内外と連通するペット用出入口を形成することができる。また、内壁部４４に円形や四角形の穴を開けることによって、出入口を形成してもよい。
【００３７】
図４に示すように、内壁部４４を伸長させた状態で蓋体４１を外枠部２１の上端部に係合させることによって、内壁部を伸長した状態を維持することができる。
このような本実施形態によれば、使い捨て容器部４２を外部トレイ部２に収容する際、蓋体４１を使い捨て容器部４２から離脱させて外枠部２１の上端部に係合させて内壁部４４を伸長させることにより、外枠部２１の内側を内壁部４４で覆うことができ、ペット用トイレ内の排泄物処理材３や排泄物が周囲に飛散することを防ぐことができるとともに、猫などの壁を爪で引っ掻く習性のある動物であっても、外枠部２１やトイレ周辺の壁や家具等を保護することができる。
【００３８】
また、外枠部２１に出入口を形成することにより、この出入口を通じてペットがトイレに出入りすることができる。この際、内壁部４４が出入口以外の外枠部２１に対応するように配置されていることから、内壁部４４がペットの出入りの障害となることがない。
【００３９】
また、使い捨て容器部４２内に内壁部４４を縮小して排泄物処理材３とともに収納して蓋体４１で閉止した形とすることができ、使い捨ての内壁部付き排泄物処理材としてパッケージされた商品形態とすることができる。さらに、使い捨て容器部４２と蓋体４１とを一部材で一体形成した場合には製造コストを低減することができる。例えば、ミシン目などによって分割する形態とすることで、製造コストを抑えつつ、使用者が合着部分を分割する操作を簡単なものにすることができる。
【００４０】
［第３実施形態］
次いで、本考案の第３実施形態について説明する。図５は、第３実施形態に係るペット用排泄物処理器の使用状態を示す斜視図、図６は、第３実施形態に係る使い捨て容器部の開封時の状態を示す斜視図、図７は、第３実施形態に係る使い捨て容器部を外部トレイ部に収容した状態を示す斜視図である。
【００４１】
図５に示すように、本実施形態におけるペット用排泄物処理器５は矩形であり、蓋体５１と排泄物処理材３を敷き詰めた使い捨て容器部５２、矩形の外部トレイ部２、外枠部２１から構成される。
【００４２】
ペット用排泄物処理器５は、使い捨て容器部５２を底面とする矩形の箱体であり、蓋体５１から使い捨て容器部５２に至るまでが一部材で一体形成されている。蓋体５１と使い捨て容器部５２の境には合着部分５３としてミシン目等の切り込みが設けられ、この合着部分５３を分割することによって、蓋体５１と使い捨て容器部５２が上下に切離される。この切離された蓋体５１と使い捨て容器部５２は、図６に示すように、伸縮自在のシート状の内壁部５４によって連結されている。また、蓋体５１と使い捨て容器部５２が一部材で一体形成されていなくてもよく、その場合は、内壁部５４を縮小して内側に収容した状態で、蓋体５１と使い捨て容器部５２を合着部分５３で合着すればよい。
【００４３】
内壁部５４は、蓋体５１や使い捨て容器部５２と同じく、軽量な素材で形成され、使用後は可燃物として廃棄できるものが好ましい。内壁部５４は、二面もしくは三面を覆うように配置すれば、残る面に出入口を形成することができる。また、四面に配置した上で、一面に穴を開けて出入口を形成してもよい。使い捨て容器部５２を外部トレイ部２に収容した状態においては、外枠部２１に形成された出入口と内壁部５４に形成された出入口が対応して配置されることによって、内外と連通するペット用出入口を形成することができる。また、内壁部５４に円形や四角形の穴を開けることによって、出入口を形成してもよい。
【００４４】
図７に示すように、内壁部５４を伸長させた状態で蓋体５１を外枠部２１の上端部に係合させることによって、内壁部を伸長した状態を維持することができる。
このような本実施形態によれば、使い捨て容器部５２を外部トレイ部２に収容する際、蓋体５１を使い捨て容器部５２から離脱させて外枠部２１の上端部に係合させて内壁部５４を伸長させることにより、外枠部２１の内側を内壁部５４で覆うことができ、ペット用トイレ内の排泄物処理材３や排泄物が周囲に飛散することを防ぐことができるとともに、猫などの壁を爪で引っ掻く習性のある動物であっても、外枠部２１やトイレ周辺の壁や家具等を保護することができる。
【００４５】
また、外枠部２１に出入口を形成することにより、この出入口を通じてペットがトイレに出入りすることができる。この際、内壁部５４が出入口以外の外枠部２１に対応するように配置されていることから、内壁部５４がペットの出入りの障害となることがない。また、外枠部２１及び内壁部５４を二面のみに配置した場合は、ペットはトイレ上を通り抜けることが可能となり、窮屈感を与えず、トイレに対する嫌悪感を和らげることができる。
【００４６】
また、使い捨て容器部５２内に内壁部５４を縮小して排泄物処理材３とともに収納して蓋体５１で閉止した形とすることができ、使い捨ての内壁部付き排泄物処理材としてパッケージされた商品形態とすることができる。さらに、使い捨て容器部５２と蓋体５１とを一部材で一体形成した場合には製造コストを低減することができる。例えば、ミシン目などによって分割する形態とすることで、製造コストを抑えつつ、使用者が合着部分を分割する操作を簡単なものにすることができる。
【００４７】
［第４実施形態］
次いで、本考案の第４実施形態について説明する。図８は、第４実施形態に係るペット用排泄物処理器の使用状態を示す斜視図である。本実施形態では、同図に示すように、上述した外部トレイ部が、収容体６０内に引出部として収容されることを要旨とする。
【００４８】
詳述すると、本実施形態では、内部に中空を有し、上面に中空に連通する収容体開口部６６を有するとともに側方に中空に連通する収容口６７を有する収容体６０と、収容体開口部６６の内周縁を取り囲むように配置される内周縁フレーム部６６ａとをさらに備え、外部トレイ部が、その上面の開口部６５ａが収容体開口部６６に合致するように、収容口６７から中空内に挿通される引出部６５として構成されている。
【００４９】
引出部６５は、使い捨て容器部６２を内部に収容した状態で収容口６７から収容体６０内部に収容され、引出部６５が収容体６０内部に収容された状態において、内周縁フレーム部６６ａは、収容体開口部６６の内周縁から、引出部６５内に収容された使い捨て容器部６２の周縁部にわたってこれらの上方を覆うように配置されている。なお、本実施形態では、引出部６５の内部前方にスコップ６９を収納する凹部６８ａと、その他の小物を入れておくポケット６８ｂとを備えたトレイ部６８が取付けられている。このトレイ部６８は、引出部６５が収容体６０内部に収容された状態においては、内周縁フレーム部６６ａで覆われるような位置関係となっている。
【００５０】
そして、図８（ａ）〜（ｃ）に示すように、本実施形態に係る外部トレイ部６では、上部から収容体開口部６６を通じて内部の引出部６５にアプローチできるようになっている。この引出部６５は、上面に開口部６５ａを有する矩形の箱体となっており、使用に際しては、内部に排泄物処理材３を敷き詰めた使い捨て容器部６２から蓋体６１を取り除いて開封した状態で収容する。収容体６０は、その一側面に開口された収容口６７を有する箱体であり、収容口６７から引出部６５を挿通して内部に収容する。
【００５１】
このような本実施形態によれば、使用者はペットのトイレとして、使い捨て容器部６２が収容された引出部６５を収容体６０内に収容することができ、外観を向上させることができる。また、内周縁フレーム部６６ａが、収容体開口部６６の内周縁から、引出部６５内に収容された使い捨て容器部６２の周縁部にわたってこれらの上方を覆うように配置されていることから、引出部６５の内壁面と使い捨て容器部６２との間にペットの足などが挟まってしまうなどの事故を未然に防止できる。
【符号の説明】
【００５２】
１，４２，５２，６２…使い捨て容器部
２，６…外部トレイ部
３…排泄物処理材
４，５…ペット用排泄物処理器
１１，４１，５１，６１…蓋体
２１…外枠部
４３，５３…合着部分
４４，５４…内壁部
６０…収容体
６５…引出部
６５ａ…開口部
６６…収容体開口部
６６ａ…内周縁フレーム部
６７…収容口
【図１】
0003208974.tif 000003
【図２】
0003208974.tif 000004
【図３】
0003208974.tif 000005
【図４】
0003208974.tif 000006
【図５】
0003208974.tif 000007
【図６】
0003208974.tif 000008
【図７】
0003208974.tif 000009
【図８】
0003208974.tif 000010
【手続補正書】
【提出日】平成28年12月14日(2016.12.14)
【手続補正１】
【補正対象書類名】実用新案登録請求の範囲
【補正対象項目名】全文
【補正方法】変更
【補正の内容】
【実用新案登録請求の範囲】
【請求項１】
軽量な素材で形成され、上面に開口部を有し、排泄物の水分を吸収する排泄物処理材を収容する使い捨て容器部と、  前記使い捨て容器部の上面を覆う蓋体と、  液不透過性の素材で形成され、上面に開口部を有し、前記使い捨て容器部を内包するように収容する外部トレイ部とを備えるペット用排泄物処理器。
【請求項２】
前記使い捨て容器部と前記蓋体とを連結する伸縮自在のシート状の内壁部と、  前記外部トレイ部の周縁部から上方に向けて立設される外枠部とをさらに備え、  前記蓋体は、前記使い捨て容器部から離脱されて前記外枠部の上端部に係合されて、前記内壁部が伸長された状態を維持可能となっていることを特徴とする請求項１に記載のペット用排泄物処理器。
【請求項３】
前記外枠部には、前記使い捨て容器部が収容された状態において内外と連通する出入口が形成され、  前記内壁部は、前記使い捨て容器部が収容された状態において前記出入口以外の前記外枠部に対応するように、配置されていることを特徴とする請求項２に記載のペット用排泄物処理器。
【請求項４】
前記使い捨て容器部と前記蓋体とは、前記内壁部を縮小して収容した状態で合着可能となっていることを特徴とする請求項２に記載のペット用排泄物処理器。
【請求項５】
前記使い捨て容器部と前記蓋体との合着は、少なくとも前記使い捨て容器部と前記蓋体との合着部分が一部材で形成されることによってなされ、前記合着部分を分割することによって、前記使い捨て容器部と前記蓋体とが切離されることを特徴とする請求項１乃至３のいずれかに記載のペット用排泄物処理器。
【請求項６】
内部に中空を有し、上面に前記中空に連通する収容体開口部を有するとともに側方に前記中空に連通する収容口を有する収容体と、  前記収容体開口部の内周縁を取り囲むように配置される内周縁フレーム部とをさらに備え、  前記外部トレイ部は、上面の開口部が前記収容体開口部に合致するように、前記収容口から前記中空内に挿通される引出部であり、  前記引出部は、前記使い捨て容器部を内部に収容した状態で前記収容口から前記収容体内部に収容され、  前記引出部が前記収容体内部に収容された状態において、前記内周縁フレーム部は、前記収容体開口部の内周縁から、前記引出部内に収容された前記使い捨て容器部の周縁部にわたってこれらの上方を覆うように配置されることを特徴とする請求項１乃至４のいずれかに記載のペット用排泄物処理器。